(57)【要約】【課題】国内各地で比較的容易に入手可能であり、１年という短期間で成長する天然素材の１年草の植物茎を配列体の素材として積極的に活用することで、経済的にかつ安定的に製造可能となる。【解決手段】上面を開口とした縦長の箱状の棺本体１１を備えた棺１０に使用され、棺本体１１の開口部１１ａを閉鎖可能な蓋１２が、開口部１１ａの周囲に置かれ外的寸法が棺本体１１の上面の外的寸法に相応する枠体１３と、それぞれの長さと厚さが均一に揃えられた複数の一年草の植物茎１５を規則的に配列して形成された配列体１４とを有する。また、配列体１４を構成する複数の植物茎１５の端部を枠体１３内側に接着することにより枠体１３に配列体１４が嵌め込まれて形成される。【選択図】図１
2009100895.tif 000002
【特許請求の範囲】
【請求項１】
上面を開口とした縦長の箱状の棺本体(11)を備えた棺(10)に使用され、前記棺本体(11)の開口部を閉鎖可能な棺用蓋(12)において、
前記開口部(11a)の周囲に置かれ外的寸法が前記棺本体(11)の上面の外的寸法に相応する枠体(13)と、
それぞれの長さと厚さが均一に揃えられた複数の一年草の植物茎(15)を規則的に配列して形成された配列体(14)とを有し、
前記配列体(14)を構成する複数の植物茎(15)の端部を前記枠体(13)内側に接着することにより前記枠体(13)に前記配列体(14)が嵌め込まれた
ことを特徴とする棺用蓋。
【請求項２】
配列体(14)はその外的寸法が棺本体(11)の開口部(11a)の内的寸法に相応するように形成され、かつ前記配列体(14)が枠体(13)より前記棺本体(11)側に突出して設けられた請求項１記載の棺用蓋。
【請求項３】
配列体(14)の納棺した遺体の頭部から胸部に対応する部分に、棺本体(11)の内部を覗く窓(18)が形成され、前記窓(18)に観音開きが可能な一対の扉(19,19)が取り付けられた請求項１記載の棺用蓋。
【請求項４】
配列体(14)の表面又は表裏面に面材が被覆された請求項１記載の棺用蓋。
【発明の詳細な説明】
【技術分野】
【０００１】
本発明は、１年草の植物茎を用いて形成された棺用蓋に関するものである。
【背景技術】
【０００２】
従来、遺体を収納保管する箱として使用されている棺は、上面が開口した箱形の棺本体と棺本体を覆う蓋とから構成されている。蓋及び棺本体の素材は、主として桐材などの木材が多く使用されているが、その他の素材として、段ボール紙、結露防止対策としてコルク薄板や硬質発泡ウレタンフォームなどの石化原料由来の素材等を使用したものが知られている。
【０００３】
例えば、蓋が長方形に構成され、棺本体が底部と左右面部と前後面部とから構成され、上記蓋及び棺本体が硬質発泡ウレタンフォームを素材として構成された棺が開示されている（例えば、特許文献１参照）。この棺では、硬質発泡ウレタンフォームとして、ポリエーテル型ウレタンフォームが用いられる。また硬質発泡ウレタンフォームに代えて、パルプ紙貼合せ材や、ポリエチレンフォームの軟質又は硬質材や、ポリプロピレンフォームの軟質又は硬質材や、木材等を用いてもよい。
【０００４】
このように構成された棺では、蓋及び棺本体の素材として硬質発泡ウレタンフォームを用いた場合、断熱効果を上げることができるので、結露の問題を解決できるようになっている。
【特許文献１】特開平８−６８５号公報（請求項１、２、５及び６、段落［００１６］）
【発明の開示】
【発明が解決しようとする課題】
【０００５】
しかし、上記従来の特許文献１に示された棺では、蓋及び棺本体の素材として硬質発泡ウレタンフォームを用いた場合、棺の焼却時に有害なガスが発生するおそれがあった。
【０００６】
また、上記従来の特許文献１に示された棺では、蓋及び棺本体の素材として木材を用いた場合、釘等を使用して組み立て加工するため非常に手間がかかり、かつ棺の焼却後の残灰の処分が煩わしくなるとともに、木材は成長するまでに何年もかかってしまい、自然環境の保護の観点から問題となる不具合があった。
【０００７】
本発明の目的は、国内各地で比較的容易に入手可能であり、１年という短期間で成長する天然素材の１年草の植物茎を配列体の素材として積極的に活用することで、経済的にかつ安定的に製造可能な、棺用蓋を提供することにある。
【０００８】
本発明の別の目的は、その強度が比較的良好であり、また、組立て方法が容易なため、特に大きな専用設備並びに熟練度を必要とせずに１年草の生産地周辺地域での製造が可能となり、ニーズに即応することができる、棺用蓋を提供することにある。
【０００９】
本発明の更に別の目的は、焼却時に有害なガスを発生することがないため、自然環境の保護に役立つ、棺用蓋を提供することにある。
【課題を解決するための手段】
【００１０】
請求項１に係る発明は、図１に示すように、上面を開口とした縦長の箱状の棺本体１１を備えた棺１０に使用され、棺本体１１の開口部を閉鎖可能な棺用蓋１２の改良である。
【００１１】
その特徴ある構成は、開口部１１ａの周囲に置かれ外的寸法が棺本体１１の上面の外的寸法に相応する枠体１３と、それぞれの長さと厚さが均一に揃えられた複数の一年草の植物茎１５を規則的に配列して形成された配列体１４とを有し、配列体１４を構成する複数の植物茎１５の端部を枠体１３内側に接着することにより枠体１３に配列体１４が嵌め込まれたことを特徴とする棺用蓋である。
【００１２】
この請求項１に記載された棺用蓋では、構成する配列体１４の素材として、１年という短期間で成長する天然素材の１年草の植物茎１５を用いる。この１年草は、収穫の回転が速く、国内各地で比較的容易に入手可能であるので、使用する素材の価格並びに供給が安定する。
【００１３】
また、植物茎１５の端部を枠体１３内側に接着することにより枠体１３に配列体１４を嵌め込むようにしたので、その強度が比較的良好であり、組立て方法が容易であるため、特に大きな専用設備も不要であり、また熟練度も必要としないため、１年草の生産地周辺地域での製造が可能となり、ニーズに即応することができる。
【００１４】
また、素材に１年草の植物茎１５を使用することで、成長するのに何年もの年月を要する木材を用いずに済み、また、この植物茎１５は焼却時に有害なガスも発生しないので、森林等の自然環境の保護に役立つ。
【発明の効果】
【００１５】
本発明によれば、蓋を構成する配列体を棺本体の開口部が閉鎖可能な大きさを有し、それぞれの長さと厚さが均一に揃えられた複数の１年草の植物茎を規則的に配列して形成したので、収穫の回転が速く、国内各地で比較的容易に入手可能であるので、使用する素材の価格並びに供給が安定する。また、蓋は枠体と配列体とから形成され、配列体を構成する植物茎の端部を枠体内側に接着することにより枠体に配列体を嵌め込むようにしたので、蓋の強度が比較的良好であり、組立て方法が容易であるため、特に大きな専用設備も不要であり、また熟練度も必要としないため、１年草の生産地周辺地域での製造が可能となり、ニーズに即応することができる。また、配列体の素材に１年草の植物茎を使用することで、成長するのに何年もの年月を要する木材を用いずに済み、また、この植物茎は焼却時に有害なガスも発生しないので、森林等の自然環境の保護に役立つ。なお、１年草の植物茎を規則的に配列してテープ等で固定して組立てれば、釘・ねじ等の金具を使用せずに済むので、焼却残渣が発生しない。
【発明を実施するための最良の形態】
【００１６】
次に本発明を実施するための最良の形態を図面に基づいて説明する。
【００１７】
図１に示すように、棺用蓋１２は、上面を開口とした縦長の箱状の棺本体１１を備えた棺１０に使用され、棺本体１１の開口部１１ａを閉鎖可能に構成される。この蓋１２は、枠体１３と配列体１４とを有する。枠体１３は、開口部１１ａの周囲に置かれ外的寸法が棺本体１１の上面の外的寸法に相応する大きさである。また、配列体１４は、それぞれの長さと厚さが均一に揃えられた複数の一年草の植物茎１５を規則的に配列することにより形成される。そして蓋１２は、配列体１４を構成する複数の植物茎１５の端部を枠体１３内側に接着することにより枠体１３に配列体１４が嵌め込まれることにより形成される。
【００１８】
枠体１３は、棺本体１１の開口部１１ａの周囲に置かれる。そのため、枠体１３の外的寸法が棺本体１１の上面の外的寸法に相応するように形成される。図２に示すように、枠体１３は、蓋１２の周囲を構成する四方の枠組み用板材１３ａを組み合わせることで形成される。枠体１３を構成する枠組み用板材１３ａの素材としては、合板等の板材が挙げられる。形成される蓋の重量や強度等を考慮すると、枠組み用板材１３ａの幅が１８〜２０ｍｍ程度、その厚さが１２ｍｍ程度の範囲のものを使用することが好ましい。なお、それぞれの枠組み用板材１３ａを組み合わせて固定する際には、接着剤などの使用だけでなく、タッカーなどの金具を用いてもよい。
【００１９】
なお、枠体１３は、図２に示すような、蓋１２の周囲を構成する四方の枠組み用板材１３ａだけで形成されるものではなく、蓋１２の強度を更に高めるために、例えば図３に示すような、幅方向の中心に、補強用板材１３ｂを設けても良い。
【００２０】
配列体１４に使用する複数の植物茎１５は、事前になるべく径が揃ったものが集められる。使用する１年草の植物茎としては、高りゃん、トウモロコシ、葦、ヒマワリ及びサトウキビからなる群より選ばれた１種又は２種以上の植物茎を用いることが好ましい。使用する植物茎は、その取扱い易さ、形成する配列体の強度等から、径が３０ｍｍ程度のものが好ましい。
【００２１】
そして図４（ａ）及び図４（ｂ）に示すように、配列体１４を形成したときに表裏面側にあたる側面が複数の植物茎１５の厚さが均一となるように切り揃えられる。複数の植物茎１５を配列して形成した配列体１４の表裏面の凹凸を減らし、蓋の表裏面を平滑するため、また蓋の見栄えを良くするためである。切り揃えた植物茎の面側の厚さは、形成される蓋の強度等を考慮すると、１８〜２０ｍｍ程度の範囲に形成されることが好ましい。続いて、図示しないが、複数の植物茎１５は、枠体１３の内的寸法の幅方向に相当する長さに均一に切り揃えられる。例えば、枠体１３が四方のみの枠組み用板材１３ａから形成されている場合は、その内的寸法に沿うように、また、枠体１３の内部に補強用板材１３ｂなどが設けられている場合は、仕切られた内的寸法に沿うように適宜切り揃えられる。
【００２２】
次に、図５（ａ）及び（ｂ）に示すように、切り揃えられた複数の植物茎１５の両端部にそれぞれ接着剤等をつけ、複数の植物茎１５が規則的に配列されるように配置して、植物茎１５の両端部を枠体１３内側に接着させることで、複数の植物茎１５を規則的に配列することにより形成される配列体１４が枠体１３に嵌め込まれる。このようにして形成されたものを棺用の蓋１２として使用する。
【００２３】
なお、図６に示すように、切り揃えられた複数の植物茎１５を規則的に配列して配列体１４を形成し、全ての植物茎１５の各端部を糸１６又はテープで結合することで仮固定するか、或いは植物茎１５同士がそれぞれ接触する側を接着剤などで固着することで固定した後に、複数の植物茎１５の両端部に接着剤をつけ、枠体１３内側に配列体１４を配置することで、枠体１３に配列体１４を嵌め込んでも良い。
【００２４】
このように構成された棺用蓋では、構成する配列体１４の素材として、１年という短期間で成長する天然素材の１年草の植物茎１５を用いる。この１年草は、収穫の回転が速く、国内各地で比較的容易に入手可能であるので、使用する素材の価格並びに供給が安定する。また、蓋１２は枠体１３と配列体１４とから形成され、配列体１４を構成する植物茎１５の端部を枠体１３内側に接着することにより枠体１３に配列体１４を嵌め込むようにしたので、蓋１２の強度が比較的良好であり、組立て方法が容易であるため、特に大きな専用設備も不要であり、また熟練度も必要としないため、１年草の生産地周辺地域での製造が可能となり、ニーズに即応することができる。
【００２５】
また、素材に１年草の植物茎１５を使用することで、成長するのに何年もの年月を要する木材を用いずに済み、また、この植物茎１５は焼却時に有害なガスも発生しないので、森林等の自然環境の保護に役立ち、ＣＯ2の削減に寄与できる。なお、接着剤やテープ等で固定して組立てれば、釘・ねじ等の金具を使用せずに済むので、焼却残渣が発生しない。
【００２６】
また、図１に示すように、本発明の蓋が載せられる棺本体１１は直方体状に形成され、開口部１１ａは棺本体１１の上面に形成される。棺本体１１は、例えば、長方形状の板状の底板１１ｂと、この底板１１ｂの互いに対向する２つの短い辺に沿ってそれぞれ立設される板状の一対の第１側板１１ｃ，１１ｃと、底板１１ｂの互いに対向する２つの長い辺に沿ってそれぞれ立設される板状の一対の第２側板１１ｄ，１１ｄとを有する。
【００２７】
棺本体１１の底板１１ｂ、第１側板１１ｃ及び第２側板１１ｄは４〜２０ｍｍ、好ましくは８〜１５ｍｍの範囲の厚さにそれぞれ形成されることが好ましい。
【００２８】
なお、上記底板１１ｂ、第１側板１１ｃ及び第２側板１１ｄの周縁は粘接着性布テープにより被覆されることが好ましい。また、上記底板１１ｂ、第１側板１１ｃ及び第２側板１１ｄを立設させた状態でそれぞれの板を固定する際にも粘接着性布テープ１７を使用することが好ましい。この粘接着性テープ１７は、テープ基材と、このテープ基材の表面に塗布された粘接着剤とを有する。粘接着性テープ１７としては、ゴム系ホットメルト型接着剤が表面に塗布された綿布製テープを用いてもよい。この綿布製テープでは、ゴム系ホットメルト型接着剤が棺本体１１の各板の仮接着を可能とする常温粘着性を有し、仮接着した後に更に接着面をアイロン等にて加温圧着することにより強固に接着できるようになっている。
【００２９】
図７に示すように、この棺本体１１の開口部１１ａを蓋１２で閉止することにより棺１０が完成する。
【００３０】
また、図示しないが、配列体１４はその外的寸法が棺本体１１の開口部１１ａの内的寸法に相応するように形成され、かつ配列体１４が枠体１３より棺本体１１側に突出するように設けてもよい。このように配列体１４を枠体１３より突出するように設けることで、配列体１４が棺本体１１の開口部１１ａに合致して蓋１２が棺本体１１に冠着され、蓋１２を閉じたときに蓋１２のズレを生じにくくなる。この場合、枠体１３の厚さを約１２ｍｍ程度として、かつ配列体１４の厚さを１８〜２０ｍｍ程度の範囲とした場合に、枠体１３の表面の水準と配列体１４の表面のそれとが一致するように配置することによって、配列体１４の裏面が枠体１３より棺本体１１側に６〜８ｍｍ程度だけ突出するように設けることができる。
【００３１】
また、配列体１４の納棺した遺体の頭部から胸部に対応する部分に、棺本体１１の内部を覗く窓を形成してもよい。窓を形成する場合、図８に示すように、枠体１３に窓を固定するための固定用板材１３ｃが設けられる。この固定用板材１３ｃで仕切られた部分が窓１８となる。なお、枠体１３内側の窓１８以外の部分には、配列体１４が嵌め込まれる。そして図９に示すように、窓１８に観音開き式の一対の窓用扉１９，１９が粘接着性テープにより取付けられる。
【００３２】
このように構成された棺１０では、一対の窓用扉１９，１９を開くことにより、棺１０の内部を見ることができるとともに、蓋１２の見栄えを向上できる。
【００３３】
また、蓋１２の表面又は表裏面には装飾を目的として面材を被覆してもよい。面材の素材としては、ポリエステル不織布や和紙などが挙げられる。被覆には、粘接着性テープを使用することが簡易な点から好ましい。この粘接着性テープは、テープ基材と、このテープ基材の表面に塗布された粘接着剤とを有する。粘接着剤テープとしては両面テープなどが挙げられる。
【００３４】
なお、本実施の形態中、棺用蓋や棺本体の説明において、その寸法を具体的な数値を用いて説明したが、本発明は上記数値に限定される訳ではなく、従来より使用されている様々な寸法の蓋に適用可能であることはいうまでもない。
【図面の簡単な説明】
【００３５】
【図１】本発明の実施の形態の蓋と棺本体を示す斜視図である。
【図２】枠体を示す斜視図である。
【図３】補強用板材を備えた枠体を示す斜視図である。
【図４】図４（ａ）は、植物茎の断面図であり、図４（ｂ）は、厚さが切り揃えられた植物茎の断面図である。
【図５】図５（ａ）は、枠体に配列体が嵌め込まれた状態を示す斜視図であり、図５（ｂ）は、そのＡ−Ａ線断面図である。
【図６】植物茎の各端部を糸により結合することで固定された配列体の斜視図である。
【図７】箱状の棺本体の開口部を蓋により閉止した状態を示す斜視図である。
【図８】棺本体の内部を覗く窓が形成される場合の枠体を示す斜視図である。
【図９】棺本体の内部を覗く窓が形成された蓋と棺本体を示す斜視図である。
【符号の説明】
【００３６】
１０  棺
１１  棺本体
１２  蓋
１３  枠体
１４  配列体
１５  植物茎
１６  糸
１７  粘接着性布テープ
１８  窓
１９  窓用扉
【図１】
2009100895.tif 000003
【図２】
2009100895.tif 000004
【図３】
2009100895.tif 000005
【図４】
2009100895.tif 000006
【図５】
2009100895.tif 000007
【図６】
2009100895.tif 000008
【図７】
2009100895.tif 000009
【図８】
2009100895.tif 000010
【図９】
2009100895.tif 000011